(57)【要約】【課題】地中温度の安定性を利用して、給水栓から供給される水道水の温度を略一定とすることで、体感的に夏に冷たく、冬に温かい水道水を得ることができ、それにより従来必要とされていた得られた水道水の冷却や温め（湯化）するためのエネルギ−を節減することができるようにした水道水の給水設備とする。【解決手段】地中に埋設された封塞パイプの上部一端に配水管と連結される導水パイプを連結し、前記した封塞パイプ内にはその封塞パイプの底面近くに開口部を位置させた汲み上げパイプを設け、その汲み上げパイプは封塞パイプの上端面を貫通して地表に延設され給水栓と連結されることとし、地表から形成されたボックス穴の底面に複数の有底筒体を横臥並設し、その一方端部の有底筒体端面に配水管と連結される導水パイプを連結し、他方端部の有底筒体端面に給水栓と連結される汲み上げパイプを連結するとともに、前記した複数の有底筒体端面は交互に通水パイプで連接し、前記ボックス穴を土で埋めてあることとする。【選択図】　　　　　図１
2004084309.tif 000002
【特許請求の範囲】
【請求項１】
地中に埋設された封塞パイプの上部一端に配水管と連結される導水パイプを連結し、前記した封塞パイプ内にはその封塞パイプの底面近くに開口部を位置させた汲み上げパイプを設け、その汲み上げパイプは封塞パイプの上端面を貫通して地表に延設され給水栓と連結されることを特徴とする水道水の給水設備。
【請求項２】
前記した導水パイプの一部には切替バルブが取り付けられ、その切替バルブで切替えられた流路は前記汲み上げパイプから給水栓へ送られる給水パイプと合流されることを特徴とする請求項１に記載の水道水の給水設備。
【請求項３】
前記した封塞パイプの上面にはエア抜きバルブ及び三方バルブを取り付けたエア抜きパイプが設けられていることを特徴とする請求項１または請求項２に記載の水道水の給水設備。
【請求項４】
前記したエア抜きパイプの三方バルブには洗浄用のエアあるいは液の吹き込み口が備えられていることを特徴とする請求項３に記載の水道水の給水設備。
【請求項５】
前記した汲み上げパイプの一部には三方バルブが取り付けられ、その三方バルブには洗浄後のエアあるいは液の吐出口が備えられていることを特徴とする請求項３または請求項４に記載の水道水の給水設備。
【請求項６】
前記した導水パイプは封塞パイプの外周面の円周接線に沿って連結されていることを特徴とする請求項１、請求項２、請求項３、請求項４または請求項５に記載の水道水の給水設備。
【請求項７】
地表から形成されたボックス穴の底面に複数の有底筒体を横臥並設し、その一方端部の有底筒体端面に配水管と連結される導水パイプを連結し、他方端部の有底筒体端面に給水栓と連結される汲み上げパイプを連結するとともに、前記した複数の有底筒体端面は交互に通水パイプで連接し、前記ボックス穴を土で埋めてあることを特徴とする水道水の給水設備。
【発明の詳細な説明】
【０００１】
【発明の属する技術分野】
本発明は配水管から供給される水道水の給水設備に関し、特に水道水を人為的に冷却したり温めたりするためのエネルギ−を節減することのできる水道水の給水設備に関する。
【０００２】
一般的に、水道水は滅殺菌処理が施され給水栓（蛇口）をはじめとする給水口へ送られてくる。しかしながら、この水道水の配水管は比較的地表近くに埋設設置されているもので、供給される水道水の温度は外気熱や地表熱の影響を受け、夏は生温かく、冬は非常に冷たいものとなっている。
【０００３】
ところで、井戸設備等によって得られる地下水は感覚的に夏は冷たく冬は温かいものとなっているが、これは地中の温度が略１６℃程度に安定したものとなっているからで、体感的な温度は外的温度環境の変化に起因している。
【０００４】
【発明の目的】
本発明は上記した地中温度の安定性を利用して、給水栓から供給される水道水の温度を略一定とすることで、体感的に夏に冷たく、冬に温かい水道水を得ることができ、それにより従来必要とされていた得られた水道水の冷却や温め（湯化）するためのエネルギ−を節減することができるようにした水道水の給水設備を提供することを目的としている。
【０００５】
【課題を解決するための手段】
この目的を達成するために本発明に係る水道水の給水設備は地中に埋設された封塞パイプの上部一端に配水管と連結される導水パイプを連結し、前記した封塞パイプ内にはその封塞パイプの底面近くに開口部を位置させた汲み上げパイプを設け、その汲み上げパイプは封塞パイプの上端面を貫通して地表に延設され給水栓と連結されることを特徴とし、前記した導水パイプの一部には切替バルブが取り付けられ、その切替バルブで切替えられた流路は前記汲み上げパイプから給水栓へ送られる給水パイプと合流されることを特徴とし、前記した封塞パイプの上面にはエア抜きバルブ及び三方バルブを取り付けたエア抜きパイプが設けられていることを特徴とし、前記したエア抜きパイプの三方バルブには洗浄用のエアあるいは液の吹き込み口が備えられていることを特徴とし、前記した汲み上げパイプの一部には三方バルブが取り付けられ、その三方バルブには洗浄後のエアあるいは液の吐出口が備えられていることを特徴とし、前記した導水パイプは封塞パイプの外周面の円周接線に沿って連結されていることを特徴としている。
【０００６】
また、本発明に係る水道水の給水設備は地表から形成されたボックス穴の底面に複数の有底筒体を横臥並設し、その一方端部の有底筒体端面に配水管と連結される導水パイプを連結し、他方端部の有底筒体端面に給水栓と連結される汲み上げパイプを連結するとともに、前記した複数の有底筒体端面は交互に通水パイプで連接し、前記ボックス穴を土で埋めてあることを特徴としている。
【０００７】
【作用】
上記した構成としたことによって、弁の方向性にもよるが、水道水は一旦地中へ導かれ、そこで地中熱と熱交換をして給水栓へ供給されることとなり、地下水と同様な温度効果を得ることができる。また、夏場でも風呂や給湯用等で水道水を得たい場合に導水パイプの切替バルブを操作することで体感的に温まった水を得ることもでき、逆に冬場でも冷たい水をそのまま得ることもできることとなっている。
【０００８】
【発明の実施の形態】
次に、本発明の好ましい実施の形態を図面を参照して説明する。図１は本発明を実施した水道水の給水設備の第一実施例を示す正面図、図２は同じく封塞パイプの平面図、図３は同じく第二実施例を示す正面図、図４は同じく平面図である。
【０００９】
これらの図にあって１は上下端面を封塞された封塞パイプであり、この封塞パイプ１はその下端を地表から１５〜２０ｍ程度に位置されて地中に埋設されており、耐圧、防錆の素材が用いられるか、処理が施されている。
【００１０】
この封塞パイプ１の上端部分には、一端を配水管と連結され、途中に給水メ−タ−が取り付けられる導水パイプ２が連結されている。この導水パイプ２は地中で略直角に曲成され、封塞パイプ１の外表面円周の接線に沿った連結構造とされ、水道水はこの導水パイプ２を通って封塞パイプ１の内周面に沿ってサイクロン状に導入されていくものとなっており、封塞パイプ１の壁面が接している地中面との熱交換が短時間で効率よく行なわれるようになっている。
【００１１】
また、前記した導水パイプ２の一部には切替バルブ（三方バルブ）３が取り付けられており、封塞パイプ１内に水道水を送り込む必要のない場合には後述する給水パイプ４に直接的に水道水を送ることも可能としている。
【００１２】
さらに、前記した封塞パイプ１の略中心部分には上下方向に汲み上げパイプ５が設けられ、この汲み上げパイプ５の下端面は封塞パイプ１の底面近くに位置されている。
【００１３】
この汲み上げパイプ５は封塞パイプ１の上端面を貫通して地表に露出され、給水栓等と連結される給水パイプ４に連接されたものとなっている。即ち、導水パイプ２を経て、封塞パイプ１内に入った水道水は、この汲み上げパイプ５を昇って給水パイプ４に送られ、給水栓等から熱交換の済んだ温度状態で使用に供されることとなる。
【００１４】
また、封塞パイプ１の上端面の一部にはこの封塞パイプ１内に混入したエアを外部へ放出するためのエア抜きパイプ６が取り付けられている。このエア抜きパイプ６はその上端を地表に露出させ、そこにエア抜きバルブ７が取り付けられている。即ち、このエア抜きバルブ７は封塞パイプ１に混入したエアが上昇してきた際に、その浮力で弁体が開放されエアを外部に放出するもので、その必要時以外は外部から異物が封塞パイプ１内に侵入することがないように閉状態とされている。
【００１５】
さらに、前記したエア抜きパイプ６の一部には三方バルブ８が取り付けられており、この三方バルブ８に封塞パイプ１や汲み上げパイプ５の洗浄用のエアや液の吹き込み口９が備えられている。
【００１６】
一方、前記した汲み上げパイプ５の一部で給水パイプ４との合流点一次側には三方バルブ１０が取り付けられ、この三方バルブ１０には前記した洗浄用のエアや液の吐出口１１が設けられている。つまり、吹き込み口９からエア抜きパイプ６を通って吹き込まれた洗浄用のエアや液は封塞パイプ１内を洗浄し、次いで汲み上げパイプ５を洗浄した後にこの吐出口１１から外部へ排出されることとなり、メンテナンスに大がかりな工事負担をする必要性がないものとしている。
【００１７】
次に、本発明の第二実施例の場合には、地表からボックス状の穴１２が掘削形成される。そして、この穴１２の底部に複数の有底筒体１３・１３‥がその長手方向の一部を当接させて横臥並設されている。
【００１８】
この複数の有底筒体１３・１３‥の一方端部の一端面には配水管と連結され、給水メ−タ−を介在させた導水パイプ１４が連結されており、他方端部の有底筒体１３の一端面には給水パイプと連結される汲み上げパイプ１５が連結されている。
【００１９】
また、各有底筒体１３・１３‥は水道水の流通が澱みのない一方向となるように交互に端面を流通パイプ１６・１６‥で千鳥状に連結したシリ−ズ連結したものとしている。そして、かかる構成の有底筒体１３・１３‥等の設置が終了した後に、前記した穴１２は土が投入され、有底筒体１３・１３等は埋設されることとなる。
【００２０】
なお、この第二実施例にあって、各有底筒体１３・１３‥ごとにエア抜き機構が取り付けられることが望ましい。この第二実施例では導入パイプ１４から送られた水道水は有底筒体１３に入り、流通パイプ１６を通って隣接する有底筒体１３へ入る。この過程を繰り返し続けることで、水道水は地中と熱交換され、地中温度の状態となって汲み上げパイプ１５より給水栓等へ供給されることとなる。
【００２１】
【発明の効果】
本発明に係る水道水の給水設備は上述のように構成されている。そのために井戸を掘るためのボ−リング工事等と比してもはるかに安価な工費、設備投資で済み、常に地中温度と同等の温度とされた水道水が得られることとなり、水道水の冷却や温め（湯化）のためのエネルギ−が大きく節減されることとなる。また、常温状態の水道水を欲する場合にはそれもバルブの切替で容易に達成することができるものとなっている。
【図面の簡単な説明】
【図１】本発明を実施した水道水の給水設備の第一実施例を示す正面図である。
【図２】封塞パイプの平面図である。
【図３】第二実施例を示す正面図である。
【図４】平面図である。
【符号の説明】
１　封塞パイプ
２　導水パイプ
３　切替バルブ
４　給水パイプ
５　汲み上げパイプ
６　エア抜きパイプ
７　エア抜きバルブ
８　三方バルブ
９　吹き込み口
１０　三方バブル
１１　吐出口
１２　穴
１３　有底筒体
１４　導水パイプ
１５　汲み上げパイプ
１６　流通パイプ
【図１】
2004084309.tif 000003
【図２】
2004084309.tif 000004
【図３】
2004084309.tif 000005
【図４】
2004084309.tif 000006